(57)【要約】【課題】帯状主体の両端部分へ互いに吸着するように一対の磁石板を内臓し、ゴルフウエアのポケット側面やバンド，帽子の庇等の被取付部へ挟み付けた状態で取り付けたとき、被取付部と帯状主体との間に隙間が生じ難いゴルフ用ボールマーカーホルダを提供する。【解決手段】布，皮革又は合成皮革からなる裏材層２と、いずれも軟質合成樹脂，皮革又は合成皮革からなる芯材層３及び表材層４とを重ね合わせて接着縫合した帯状主体１を具備し、前記芯材層３の両端部分には案内孔３０，３０を形成して各案内孔３０内へ磁石板５をそれぞれ案内保持させ、前記帯状主体１を前記裏材層２が内側になる状態で長さ方向中央部から折り重ねた折り重ね状態において前記両磁石板５，５の異極面が対向するように構成する。【選択図】      図１
0003138789.tif 000002
【実用新案登録請求の範囲】
【請求項１】
布，皮革又は合成皮革からなる裏材層（２）と、いずれも軟質合成樹脂，皮革又は合成皮革からなる芯材層（３）及び表材層４とを重ね合わせて接着縫合した帯状主体（１）を具備し、前記芯材層（３）の両端部分には案内孔（３０，３０）を形成して各案内孔（３０）内へ磁石板（５）をそれぞれ案内保持させ、前記帯状主体（１）を前記裏材層（２）が内側になる状態で長さ方向中央部から折り重ねた折り重ね状態において前記両磁石板（５，５）の異極面が対向するように構成するとともに、前記表材層（４）の上から前記磁石板（５）へボールマーカー（６）を吸着させることを特徴とする、ゴルフ用ボールマーカーホルダ。
【請求項２】
前記芯材層（３）の外周縁部を、前記裏材層（２）及び表材層（４）の外周輪郭部から外周方向へややはみ出させた、請求項１に記載のゴルフ用ボールマーカーホルダ。
【請求項３】
前記表材層（４）上には、前記折り重ね状態における少なくとも一方の面へ前記磁石板（５）と重ならない状態に前記帯状主体（１）の長さ方向と交差する少なくとも一つの差込み保持部（４０）を設け、当該差込み保持部（４０）へゴルフティー（７）の軸部を差し込むように構成した、請求項１又は２に記載のゴルフ用ボールマーカーホルダ。
【請求項４】
前記表材層（４）上には、前記いずれかの磁石板（５）と対応する位置へ前記折り重ね状態において折り曲げ部の方向へ開口するように前記ボールマーカー（６）を収容可能なポケット部（４１）を設けた、請求項１又は２に記載のゴルフ用ボールマーカーホルダ。
【請求項５】
前記帯状主体（１）の少なくとも一端部には舌片（１０）を延出させた、請求項１〜４のいずれかに記載のゴルフ用ボールマーカーホルダ。
【考案の詳細な説明】
【技術分野】
【０００１】
本考案は、ゴルフ場のグリーン上で使用されるボールマーカーのホルダに関するものである。
【背景技術】
【０００２】
グリーン上でボールをマークするために使用されるコイン状のボールマーカーは紛失し易いので、これを安定して保持させるために携帯できるボールマーカーホルダが市販されている。
例えばそれらの一つとして、軟質ビニール製のクリップ状主体の両端部分に異極面を対向するように一対の磁石板を内蔵させ、コイン状の金属板からなるボールマーカーを前記磁石板の外側面へ着脱できるようにしたものが提案されている（後記特許文献１参照）。
前記ボールマーカーホルダは、金属板からなるボールマーカーを前記磁石板の外側面へ容易に着脱することができ、マーカーが脱落し難くしかもゴルフウエアのバンドやポケット及び帽子の庇などへ簡単に挟み付けて携帯することができる。
【０００３】
しかしながら、前記ボールマーカーホルダは、前記クリップ状主体の各磁石板内臓部がそれ以外の部分から内外側面方向へ突出するので、例えばゴルフウエアのバンドやポケット及び帽子の庇等へそれらを挟み付ける状態で取り付けたたとき、互いに吸着した各磁石板内臓部以外の部分では、クリップ状主体の内側面へ隙間が生じ（例えばクリップ状主体でバンドを挟み付けた状態で取り付けた場合、クリップ状主体の磁石板内臓部以外の部分とバンド面との間に隙間が生ずる。）ゴルフウエアや帽子等への取付状態が不安定になり易い。
また、クリップ状主体の磁石板内臓部の側面へボールマーカーを吸着させた状態においても、ボールマーカーがクリップ状主体の磁石板内蔵部以外の部分において、その外側面から磁石板の肉厚の一部相当量分が浮上した状態になり、ボールマーカーに手や他の物が衝突し易くなるため当該ボールマーカーが不安定になり易い。
【特許文献１】実用新案登録第３０８４７９１号公報
【考案の開示】
【考案が解決しようとする課題】
【０００４】
本考案が解決しようとする課題は、一対の磁石板を内蔵して当該磁石板相互の吸着によりゴルフウエアのポケット側面やバンド及び帽子の庇等へ挟み付けた状態で取り付け、前記磁石板の部分へボールマーカーを吸着保持させる構造のボールマーカーホルダにおいて、取付状態におけるホルダ及びボールマーカーの安定性向上にある。
【０００５】
本考案の目的は、帯状主体の両端部分へ互いに吸着するように一対の磁石板を内蔵し、ゴルフウエアのポケット側面やバンド，帽子の庇等の被取付部へ挟み付けた状態で取り付けたとき、被取付部と帯状主体との間に隙間が生じ難いゴルフ用ボールマーカーホルダを提供することにある。
本考案の他の目的は、前記帯状主体の磁石板取付部外側面へボールマーカーを吸着保持させた状態においても、ボールマーカーが帯状主体の外側面から過大に突出しないゴルフ用ボールマーカーホルダを提供することにある。
【課題を解決するための手段】
【０００６】
本考案に係るゴルフ用ボールマーカーホルダは、前記課題を解決するため、布，皮革又は合成皮革からなる裏材層２と、いずれも軟質合成樹脂，皮革又は合成皮革からなる芯材層３及び表材層４とを重ね合わせて接着縫合した帯状主体１を具備し、前記芯材層３の両端部分には案内孔３０，３０を形成して各案内孔３０内へ磁石板５をそれぞれ案内保持させ、前記帯状主体１を前記裏材層２が内側になる状態で長さ方向中央部から折り重ねた折り重ね状態において前記両磁石板５，５の異極面が対向するように構成するとともに、前記表材層４の上から前記磁石板５へボールマーカー６を吸着させることを最も主要な特徴とするものである。
【考案の効果】
【０００７】
本考案に係るゴルフ用ボールマーカーホルダによれば、帯状主体１は接着縫合された裏材層２，芯材層３及び表材層４からなり、一対の磁石板５，５はそれぞれ芯材層３の両端部分に形成された案内孔へ案内保持させてあるので、全体の肉厚がより均一になる。
したがって、ゴルフウエアのポケット側面やバンド，帽子の庇等の被取付部へ帯状主体１を二つ折り状に折り重ねて挟み付けた状態で取り付けたとき、被取付部と帯状主体との間に隙間が生じ難い。また、帯状主体１の磁石板取付部外側面へボールマーカー６を吸着保持させた状態においても、ボールマーカー６が帯状主体１の外側面から過大に突出することはない。
【０００８】
帯状主体１を構成する裏材層２，芯材層３及び表材層４は、芯材層３の各案内孔３０へそれぞれ磁石板５を案内して重ねた状態で接着縫合してあるので、各磁石板５，５が安定して保持される。
【考案を実施するための最良の形態】
【０００９】
以下本考案に係るゴルフ用用ボールマーカーホルダの最良実施の形態を、図面を参照しながら具体的に説明する。
第１実施形態
図１は本考案に係るゴルフ用ボールマーカーホルダの第１実施形態を示す分解斜視図、図２は第１実施形態のボールマーカーホルダを長さ方向中央部から二つ折り状に折り重ねた状態の斜視図である。
【００１０】
適当な長さを有する帯状主体１は、布製の裏材層２と、軟質のウレタン樹脂からなる芯材層３と、芯材層３と同様な材質の表材層４とを重ね合わせて構成してあり、その長さ方向の両端部は凸円弧状に形成されている。
芯材層３の両端部分にはそれぞれ磁石板５が案内される円形の案内孔３０，３０が形成されており、当該芯材層３の肉厚は各磁石板５の板厚とほぼ等しくかつ裏材層２及び表材層４よりも厚肉（この実施形態では後者のほぼ倍程度）であり、当該芯材層３の長さ及び幅は裏材層２及び表材層４のそれよりも僅かに大きく形成されている。
表材層４は外部から各磁石板５の位置が確認できるように透明であるのが好ましく、またその表面には図形や文字その他による各種の広告表示１２を印刷することができる。
【００１１】
帯状主体１は、芯材層３の裏面へ裏材層２を重ねて接着するとともに当該芯材層３の各案内孔３０へ対応する磁石板５を案内し、芯材層３の表面へ表材層４を重ねて接着した後、それらの外周縁の近傍を縫合することにより構成される。図２の符号１１はその縫い目である。
各層２，３，４を重ねて接着する順序は前記の逆でも差し支えない。
【００１２】
前記ような帯状主体１を具備するボールマーカーホルダは、図２で示すように、前記芯材層３の外周縁部が、裏材層２及び表材層４の外周輪郭部から外周方向へやや（例えば１ｍｍ前後）はみ出した状態に形成される。
この実施形態のボールマーカーホルダは、図２で示すように帯状主体１をその長さ方向の中央部から二つ折り上に折り重ねるようにして、例えば、図３のようにゴルフウエア（パンツ又は上着）のポケット８０の側面、図４のようにバンド８１、図５のように帽子の庇８２等の被取付部８を挟み付けた状態で当該被取付部８へ取り付けられる。
この取付状態で、磁石板５と対応する表材層４の表面部分へ同様な磁石板を含むコイン状のボールマーカー６を吸着保持させる。
【００１３】
第１実施形態のボールマーカーホルダによれば、両端部分の案内孔３０，３０へそれぞれ磁石板５，５が案内された芯材層３を、裏材層２及び表材層４によりサンドイッチ状に挟み、各層２，３，４を接着縫合した形態であるので、帯状主体１の各部の厚みがより均一になる。したがって、図３〜図５で示すように被取付部８への取付状態において、帯状主体１と被取付部８の両面との間に隙間が生じ難く、その取付状態が安定する。
また、ボールマーカー６の取付状態において、帯状主体１の磁石板保持部以外の表面からのボールマーカー６の突出量も当該マーカー６のほぼ肉厚分に限定され、ボールマーカー６に手や他の物が突き当り難くなるためその取付状態が安定する。
【００１４】
裏材層２及び表材層４は芯材層３の両面へ接着縫合してあるので、各磁石板５は芯材層３へ確実に保持される。
裏材層２は布製であるので、摩擦係数が大きく被取付部８の表面に対して滑り難い。
また、図１及び図２において二点鎖線で示すように、帯状主体１の長さ方向の一端部へ舌片１０を延出させると、この舌片１０が被取付部８の表面側へ位置する状態でホルダを取り付けることにより、当該ホルダを被取付部８から取り外すとき前記舌片１０を引き剥がし方向に引っ張ってより容易に取り外すことができる。
さらに、芯材層３の外形輪郭が表材層４や裏材層２のそれよりも若干大きくしてあるので、芯材層３の両面へ表材層４及び裏材層２を重ねて接着する際に効率よく重ね合わせることができる。
【００１５】
第２実施形態
図６は、本考案に係る第２実施形態のボールマーカーホルダを示す部分破断正面図である。
図は帯状主体１を長さ方向中央部から二つ折り状に折り重ねた状態であり、表材層４上には、被取付部材への取付状態における少なくとも正面へ前記磁石板５と重ならない状態に前記帯状主体１の長さ方向と交差する一個又は数個の差込み保持部４０を設け、当該差込み保持部４０へゴルフティー７の軸部を差し込むように構成している。
図６において各差込み保持部４０は、幅方向の一側部方向へ先上がり傾斜する状態に設けてもよい。
【００１６】
第２実施形態のボールマーカーホルダによれば、図６のように帯状主体１の取付状態において、その表面の磁石板と対応する部分へボールマーカー６を吸着保持させるとともに、図のように差込み保持部４０へゴルフティー７を差し込むことにより、当該ボールマーカーホルダをゴルフティー７のホルダと兼用することができる。
第２実施形態のボールマーカーホルダにおける他の構成や作用効果は、第１実施形態のものとほぼ同様であるのでそれらの説明は省略する。
【００１７】
第３実施形態
図７は本考案に係る第３実施形態のボールマーカーホルダを示す斜視図である。
この実施形態のボールマーカーホルダは、帯状主体１の表材層４上に、いずれかの磁石板５と対応する位置へ折り重ね状態において折り曲げ部の方向へ開口するようにボールマーカー６を収容するポケット部４１を設けている。
このように構成すると、被取付部への取付状態にける帯状主体１の表面側には一のボールマーカー６を吸着保持させ、帯状主体１の裏面側のポケット部４１にはスペアとしての他のボールマーカーホルダ６を収容保持させることにより、一のボールマーカー６を紛失したとき、他方のボールマーカー６を取り出して使用することができるので便利である。
第３実施形態におけるボールマーカーホルダの他の構成や作用効果は、第１実施形態の
ホルダとほぼ同様なのでそれらの説明は省略する。
【００１８】
前記各実施形態において、裏材層２には布のほか摩擦係数が比較的大きい皮革や合成皮革を、芯材層３や表材層４にはウレタン樹脂のほか他の軟質合成樹脂や皮革又は合成皮革を、それぞれ使用することができる。
【図面の簡単な説明】
【００１９】
【図１】本考案に係る第１実施形態のゴルフ用ボールマーカーホルダを示す分解斜視図である。
【図２】第１実施形態のボールマーカーホルダを長さ方向中央部から二つ折り状に折り重ねた状態の斜視図である。
【図３】第１実施形態のボールマーカーホルダの使用状態を示す部分斜視図である。
【図４】第１実施形態のボールマーカーホルダにおける他の使用状態を示す部分斜視図である。
【図５】第１実施形態のボールマーカーホルダにおけるさらに他の使用状態を示す部分斜視図である。
【図６】本考案に係る第２実施形態のゴルフ用ボールマーカーホルダを示す部分破断正面図である。
【図７】本考案に係る第３実施形態のゴルフ用ボールマーカーホルダを示す斜視図である。
【符号の説明】
【００２０】
１  帯状主体
１０  舌片
１１  縫い目
２  裏材層
３  芯材層
３０  案内孔
４  表材層
４０  差込み保持部
４１  ポケット部
５  磁石板
６  ボールマーカー
７  ゴルフティー
【図１】
0003138789.tif 000003
【図２】
0003138789.tif 000004
【図３】
0003138789.tif 000005
【図４】
0003138789.tif 000006
【図５】
0003138789.tif 000007
【図６】
0003138789.tif 000008
【図７】
0003138789.tif 000009